(57)【特許請求の範囲】
【請求項１】
凹皿部を有するとともに周囲に弾性部及び掛止突起を設けて成る上トレーをその左右両側部に摺動停止端部を設けて下トレーに係合し、これら上トレーと下トレーとから成る一組を複数段に設置しこれらを上蓋部材と下蓋部材から成る収納ケース体に収容し、
前記下蓋部材の一側端部に等間隔をおいて立設した複数の管材にそれぞれ弾機を介装し、この弾機上方部に嵌挿した各脚体上に設けた押しスイッチをそれぞれ前記上蓋部材の上面部に臨設し、この各押しスイッチの前側方に高低差をつけて前方向に突設したフックを、前記各上トレーの内側辺部の裏側適所に位置をずらして設けた各突片に係脱し得るようにし、前記各脚体は連結子を介して連結し、前記収納ケースの内部後側部にオールロック部材を設け、このロック部材に設けた複数のロック部が開閉スイッチの摺動により前記各押しスイッチの下側一部に係脱し得るように成る、
コンパクトディスク収納ケース。
【請求項２】
押しスイッチの上面部に点字様の小突起を上下両トレーの組段数に合わせて設けて成る請求項１に記載したコンパクトディスク収納ケース。
【発明の詳細な説明】
【０００１】
【発明の属する技術分野】
本発明は、コンパクトディスク（以下，ＣＤと略称する。）用の収納ケースに関するものである。
【０００２】
【従来の技術】
従来、多数枚収納したＣＤケース中から特定のＣＤを選択的に取り出すことに関する先行技術としては、実開昭６１−８３５９０号、実開昭６１−１８６５８８号、特開昭６２−１６８８８２号，実開昭６２−１７４０８７号、実開平２−９７２８９号、特公平７−６４３６８号などある。
【０００３】
また、ＣＤトレーにＣＤを収納・保持することに関する先行技術としては、特開昭６４−８４８８４号、特開平１−１９９８８２号、実開平４−３９９４号、特公平７−２５３８８号などがある。
【０００４】
しかし、これらの先行技術はいずれも、多数枚のＣＤを携帯し、必要に応じて机上などで目的のＣＤを選別して円滑に取り出すには不適当なものであった。
【０００５】
【発明が解決しようとする課題】
そこで、本発明は従来の公知技術のこのような欠点を一層した実用性の高い収納ケースを提供することを目的とするものである。
【０００６】
【課題を解決するための手段】
本発明は、凹皿部を有するとともに周囲に弾性部及び掛止突起を設けて成る上トレーをその左右両側部に摺動停止端部を設けて下トレーに係合し、これら上トレーと下トレーとから成る一組を複数段に設置しこれらを上蓋部材と下蓋部材から成る収納ケース体に収容し、前記下蓋部材の一側端部に等間隔をおいて立設した複数の管材にそれぞれ弾機を介装し、この弾機上方部に嵌挿した各脚体上に設けた押しスイッチをそれぞれ前記上蓋部材の上面部に臨設し、この各押しスイッチの前側方に高低差をつけて前方向に突設したフックを、前記各上トレーの内側辺部の裏側適所に位置をずらして設けた各突片に係脱し得るようにし、前記各脚体は連結子を介して連結し、前記収納ケースの内部後側部にオールロック部材を設け、このロック部材に設けた複数のロック部が開閉スイッチの摺動により前記各押しスイッチの下側一部に係脱し得るように成るものである。
【０００７】
【発明の実施の形態】
いま携帯した本ケースの中から１つのＣＤを取り出すときは、まず収納ケース体の後側中央部に設けた開閉スイッチを、凹溝の一側端から他側端に摺動する。
【０００８】
すると、収納ケース体内部のロック部材の各ロック部が、係合ロックしていた押しスイッチの一部から離脱して解放状態にするから、収納ケース体の上蓋部材の上面部に臨設する押しスイッチの任意の一つを押下する。
【０００９】
すると、当該押しスイッチのフックの先端部は、係合していた当該組の上トレーの内側辺部裏側の突片から離脱するようになるから、常時後側方から押圧している弾機の伸長によって上トレーは前側方に飛び出るようになる。これによって、上トレーは収納ケース体の前方部に約３分の１外出するから、上トレーの外側辺部に指先をかけて全体を手前方に引き出せば、上トレーの凹皿部内のＣＤが全部現われるようになる。
【００１０】
逆に、凹皿部内にＣＤを収納するときは、全体が現われた凹皿部内に収納すれば、周囲の波形弾性部を押圧しながら反対側を掛止突片によって掛止められて取付くようになる。
【００１１】
しかる後に、上トレーを後側方へ全部摺動すれば、上トレーの後方突子は下トレーの後側部に臨設する弾機に挿入しながら押圧して弾機を収縮し、同時に上トレーの内側辺部裏側の突片が押しスイッチの脚体に突設したフックの先端部に係合して停止するようになる。
【００１２】
最後に、収納ケースの後側中央部にある開閉スイッチを、凹溝の他側端から一側端に再び摺動すると、ロック部材の各ロック部が各押しスイッチの下側一部にそれぞれ係合するから、全組トレーはロック状態になる。
【００１３】
【実施例】
１は凹皿部２にＣＤａを収納保持する上トレーで、この上トレーの凹皿部周囲の任意箇所に波形弾性部３，３を設けるとともにこの弾性部の相対側に掛止突起４，４を設ける。また、前記弾性部３，３の内側上端にも掛止突起３’，３’を設ける。
【００１４】
前記上トレー１の凹皿部２の周壁面はややテーパ状に形成し、ＣＤを凹皿部から取り出し易くする。
【００１５】
５・・は前記上トレー１の外側辺部で、この外側辺部は後記収納ケース体１２を構成する上蓋部材１３と下蓋部材１６の正側辺部の外形状１３’，１６’に合致する形状に成り、また前記上トレー１の前記外側辺部５と反対側の内側辺部には水平に突子６・・を突設する。
【００１６】
７，７は前記上トレー１の左右両側辺部の奥部分に突設した凸軌条で、この凸軌条は後記下トレー８の左右両側縁部に形成した凹溝条９，９に係合し、この凹溝条の限界内を前後に摺動する。
【００１７】
８は前記上トレー１がその左右両側辺部の凸軌条７，７を介して左右両側縁部に係合する凹溝条９，９を設けて成る下トレーで、前記上トレー１の凸軌条７，７の外端が下トレー８の凹溝条９，９の最外端部に当接したとき、上トレーの外方摺動が停止する。
【００１８】
１０は前記下トレー８の内側辺部の外方向に設けた凸形凹溝部で、この凸形凹溝部には弾機１１が収容し、この弾機には前記上トレー１の突子６が挿入するように成る。
【００１９】
以上のような構成に成る上トレー１と下トレー８が一組となり、これが図面では三組、所定の収納ケース体１２の内部に三段に設置されている。
【００２０】
１３は前記収納ケース体１２の上蓋部材で、この上蓋部材の一側端部に設けた３つの通孔には上面部に押しスイッチ１４・・をそれぞれ等間隔をおいて臨設する。これらの押しスイッチの上面部には点字様の小突起１４’・・を、前記上下トレー１，８の組段数に合わせて１個，２個，３個設けている。この小突起１４’の設けにより、盲人でも押しスイッチの所在位置が判別できるようになる。
【００２１】
この押しスイッチ１４・・の脚体１５・・はそれぞれ、下蓋部材１６の一側端部に立設する３個の管材１７・・に弾機１８・・を介装して嵌挿し、また各脚体１５・・の前方向には重ね段数に合わせて高低差をつけたそれぞれのフック１９・・を水平方向に突設する。これら押しスイッチ１４・・の各脚体１５・・は、互に連結子２０，２０を介して一体に成形される。
【００２２】
前記各フック１９・・はそれぞれ、前記各組の上トレー１の内側辺部の前記突子６に近接して裏側適所に設けた突片２１・・に係脱し得るように成る。この突片と同一横方向には、間隔をおいて同一高さの長突片２１’，２１’を設ける。
【００２３】
いま前記押しスイッチ１４・・を押下すると、同時にその脚体１５・・も下動するから、そのフック１９・・が、係合していた上面の上トレー１・・の突片２１・・から離脱する。すると、上トレーは固定状態が解放されることになるから、後方から前記下トレー８の凸形凹溝部１０内の弾機１１が伸長することによって上トレー１が前方向へ飛び出るようになり、これにより上トレーは収納ケース体１２の前方部に半部分位外出するようになる。しかる後は、上トレーの外側辺部に指先を掛けて全体を引き出せば、上トレーの前方摺動は、その左右両側辺部の凸軌条７，７が下トレー８の凹溝条９，９を介してなされ、凸軌条の前端部が凹溝条の前端部に当接したとき、上トレーの引き出しとともに、下トレーも同動して引き出される。
【００２４】
上トレー１の全体が引き出されたときは、凹皿部２内に設置しているＣＤを指先でつまんで取り出せばよい。
【００２５】
ＣＤを収納するときは、これと反対の作用をすればよく、凹皿部２にＣＤを収納した後、上トレー１を押し込めば、上トレーの内側辺部に突設した突子６が、再び相対する下トレー８の凸形凹溝部１０に収納せる弾機１１内に挿入するとともに凸形凹溝部１０に押圧し、また同時に上トレー１の内側辺部の突片２１が前記収納ケース体１２の下蓋部材１６の内部に相対する前記フック１９に係合するから、これにより上トレー１は内側に下トレー８をかかえたまま固定するようになる。
【００２６】
２２，２２は前記上トレー１の裏面部において中心孔をはさんで左右両側に摺動方向に設けた摺動凸起で、この摺動凸起が前記下トレー８の上面部に接して上トレー１は前後に円滑に摺動するようになる。
【００２７】
２３，２３は前記下トレー８の左右両側壁２４，２４の外側一部に設けた凸リブで、この凸リブが前記収納ケース１２の左右両側壁板２５，２５に接して下トレー８は前後に摺動するようになる。
【００２８】
２６は前記収納ケース１２の後側部内部に設けたオールロック部材で、このロック部材はその中央頚部２７が前記上下両蓋部材１３，１６による収納ケース１２の内側辺部の開口部２８から外部に突出し、この開口部周囲に形成した凹溝２９を前記中央頚部２７の外部の開閉スイッチ３０が左右に摺動するようになる。
【００２９】
３１，３１’，３１’’は前記オールロック部材２６の適所（一側端部，中央部，他側端部）に設けたロック部で、この各ロック部は前記開閉スイッチ３０の摺動により前記押しスイッチ１４・・の一部に対して係合し、押しスイッチ１４の作動を停止するようにする。即ち、ロック部３１は第１の押しスイッチ１４の脚体１５に係合し、ロック部３１’は第２の押しスイッチ１４のフック１９の下側部に係合し、ロック部３１’’は第３の押しスイッチ１４の脚体１５とフック１９との間の凹部に係合するようになる。
【００３０】
前記開閉スイッチ３０を反対方向に摺動すると、前記各ロック部３１，３１’，３１’’は押しスイッチ１４・・の各一部の係合から離脱するようになる。
【００３１】
【発明の効果】
本発明は、多数枚のＣＤを携帯し、これを必要に応じて１枚宛取り出すことを円滑かつ確実に行うことができるようになり、またＣＤの収納及び固定も同様に円滑かつ確実に行うことができるようになる。
【図面の簡単な説明】
【図１】全体の分離状態を示した斜視図
【図２】ＣＤの取出し又は収納時の全体の斜視図
【図３】ＣＤの収納状態を示した全体の斜視図
【図４】ＣＤの収納状態を示した全体の背面図
【図５】全体の収納作用状態を示した内部の平面図
【図６】図５の側断面図
【図７】要部の解放時の平面図
【図８】要部の収納時の平面図
【図９】要部の収納時の斜視図
【図１０】要部の関係を示す斜視図
【図１１】要部の正断面図
【図１２】要部の側断面図
【符号の説明】
１          上トレー
２          凹皿部
３，３      波形弾性部
４，４      掛止突起
５          外側辺部
６          突子
７，７      凸軌条
８          下トレー
９，９      凹溝条
１０          凸形凹溝部
１１          弾機
１２          収納ケース
１３          上蓋部材
１４          押しスイッチ
１４’        小突起
１５          脚体
１６          下蓋部材
１７          管材
１８          弾機
１９          フック
２０，２０    連結子
２１          突片
２２，２２    摺動凸起
２３，２３    凸リブ
２５，２５    左右両側壁板
２６          オールロック部材
２７          中央頚部
２８          開口部
２９          凹溝
３０          開閉スイッチ
３１，３１’，３１’’      ロック部
【図１】
0003807838.tif 000002
【図２】
0003807838.tif 000003
【図３】
0003807838.tif 000004
【図４】
0003807838.tif 000005
【図５】
0003807838.tif 000006
【図６】
0003807838.tif 000007
【図７】
0003807838.tif 000008
【図８】
0003807838.tif 000009
【図９】
0003807838.tif 000010
【図１０】
0003807838.tif 000011
【図１１】
0003807838.tif 000012
【図１２】
0003807838.tif 000013